(57)【特許請求の範囲】
【請求項１】
自己の複数の通信識別情報のうち、その何れかの通信識別情報を介して個別の音声通話あるいは電子メールが可能な通信端末装置であって、
前記通信識別情報を介して音声通話あるいは電子メールを行った際に、その音声通話あるいは電子メールを行ったことを示す通信履歴情報を当該通信識別情報に対応付けて記憶する情報記憶手段と、
前記情報記憶手段に記憶された通信履歴情報に音声通話の不在着信あるいは未開封の電子メールが存在するか否かを判別する判別手段と、
待ち受け画面を前記複数の通信識別情報の数で分割する分割手段と、
この分割手段によって分割された分割画面の個々と前記通信識別情報の個々とを対応付けると共に、前記判別手段により音声通話の不在着信あるいは未開封の電子メールが存在すると判別された場合に、当該通信識別情報毎にその存在すると判別された通信履歴情報を対応する分割画面に表示させる表示制御手段と、
前記分割手段によって分割された分割画面の個々と前記通信識別情報の個々とが対応付けられている状態において、各分割画面の中から任意の分割画面を選択する選択手段と、
この選択手段によって選択された分割画面に対応する前記通信識別情報を選択して通信を行う通信制御手段と、
を具備したことを特徴とする通信端末装置。
【請求項２】
前記表示制御手段は、各分割画面の背景色を異ならせることで通信識別情報毎にその通信履歴情報を識別可能に表示する、
ようにしたことを特徴とする請求項１記載の通信端末装置。
【請求項３】
自己の複数の通信識別情報のうち、その何れかの通信識別情報を介して個別の音声通話あるいは電子メールが可能な通信端末装置であって、
前記通信識別情報を介して音声通話あるいは電子メールを行った際に、その音声通話あるいは電子メールを行ったことを示す通信履歴情報を当該通信識別情報に対応付けて記憶する情報記憶手段と、
前記情報記憶手段に記憶された通信履歴情報に音声通話の不在着信あるいは未開封の電子メールが存在するか否かを判別する判別手段と、
前記判別手段により音声通話の不在着信あるいは未開封の電子メールが存在すると判別された場合に、前記通信識別情報毎に割り当てられている待ち受け画面内の位置にその存在すると判別された通信履歴情報を表示させる表示制御手段と、
を具備したことを特徴とする通信端末装置。
【請求項４】
前記表示制御手段は、前記通信識別情報に対応付けて記憶される通信履歴情報を表示させる場合に、当該通信識別情報を介して通信を行った件数を併せて表示させる、
ようにしたことを特徴とする請求項１あるいは請求項３記載の通信端末装置。
【請求項５】
前記表示制御手段は、前記通信識別情報に対応付けて記憶される通信履歴情報を表示させる場合に、当該通信識別情報を介して通信を行った通信日時を併せて表示させる、
ようにしたことを特徴とする請求項１あるいは請求項３記載の通信端末装置。
【請求項６】
前記表示制御手段は、前記通信識別情報に対応付けて記憶される通信履歴情報を表示させる場合に、その通信種別を表示させる、
ようにしたことを特徴とする請求項１あるいは請求項３記載の通信端末装置。
【請求項７】
コンピュータに対して、
自己の複数の通信識別情報のうち、その何れかの通信識別情報を介して音声通話あるいは電子メールを行った際に、その音声通話あるいは電子メールを行ったことを示す通信履歴情報を当該通信識別情報に対応付けて記憶管理する機能と、
この記憶管理された通信履歴情報に音声通話の不在着信あるいは未開封の電子メールが存在するか否かを判別する機能と、
待ち受け画面を前記複数の通信識別情報の数で分割する機能と、
この分割機能によって分割された分割画面の個々と前記通信識別情報の個々とを対応付けると共に、前記判別機能により音声通話の不在着信あるいは未開封の電子メールが存在すると判別された場合に、当該通信識別情報毎にその通信履歴情報を対応する分割画面に表示する機能と、
前記分割機能によって分割された分割画面の個々と前記通信識別情報の個々とが対応付けられている状態において、各分割画面の中から任意の分割画面を選択する機能と、
この選択機能によって選択された分割画面に対応する前記通信識別情報を選択して通信を行う機能と、
を実現させるためのプログラム。
【請求項８】
コンピュータに対して、
自己の複数の通信識別情報のうち、その何れかの通信識別情報を介して音声通話あるいは電子メールを行った際に、その音声通話あるいは電子メールを行ったことを示す通信履歴情報を当該通信識別情報に対応付けて記憶管理する機能と、
この記憶管理された通信履歴情報に音声通話の不在着信あるいは未開封の電子メールが存在するか否かを判別する機能と、
この判別機能により音声通話の不在着信あるいは未開封の電子メールが存在すると判別された場合に、前記通信識別情報毎に割り当てられている待ち受け画面内の位置にその存在すると判別された通信履歴情報を表示する機能と、
を実現させるためのプログラム。
【発明の詳細な説明】
【技術分野】
【０００１】
この発明は、自己の複数の通信識別情報毎に個別の通信が可能な通信端末装置及びプログラムに関する。
【背景技術】
【０００２】
従来、自己の複数の通信識別情報、つまり、自局の加入者識別情報として複数の電話番号（以下、加入者電話番号と呼称する）を利用可能な通信端末装置としては、例えば、この複数の加入者電話番号を最寄りの基地局に登録しておくことで、複数の加入者電話番号での同時待ち受けを可能とした移動体通信端末が知られている（特許文献１参照）。そして、この種の通信端末装置としては、どの加入者電話番号に対する着信であるかを特定可能とするために、その加入者電話番号毎に異なる音や画像を出力する技術が存在し（特許文献２参照）、また、このような音声通話以外にも電子メールに関する技術も存在している（特許文献３参照）。
【特許文献１】特開２００３−１８９３６１号公報
【特許文献２】特開２００６−１２１３３５号公報
【特許文献３】特開２００６−１２１３３６号公報
【発明の開示】
【発明が解決しようとする課題】
【０００３】
しかしながら、上述した特許文献２・３の技術にあっては、複数の加入者識別情報のうちどの加入者電話番号に対する着信であるかを確認することはできるが、加入者電話番号毎に、例えば、音声通話の着信に応答できなかった不在着信を確認したり、未読の電子メールを確認したりする場合に、どの加入者電話番号に対するものであるかを誤認混同して情報の確認を間違えや操作の煩雑化を招くおそれがあった。
【０００４】
この発明の課題は、自己の複数の通信識別情報のうち、その何れかの通信識別情報を介して通信を行った際に、その通信を行ったことを示す通信関連情報を表示した場合に、どの通信識別情報に対する情報であるかを容易に確認できるようにすることである。
【課題を解決するための手段】
【０００５】
請求項１記載の発明は、自己の複数の通信識別情報のうち、その何れかの通信識別情報を介して個別の音声通話あるいは電子メールが可能な通信端末装置であって、前記通信識別情報を介して音声通話あるいは電子メールを行った際に、その音声通話あるいは電子メールを行ったことを示す通信履歴情報を当該通信識別情報に対応付けて記憶する情報記憶手段と、前記情報記憶手段に記憶された通信履歴情報に音声通話の不在着信あるいは未開封の電子メールが存在するか否かを判別する判別手段と、待ち受け画面を前記複数の通信識別情報の数で分割する分割手段と、この分割手段によって分割された分割画面の個々と前記通信識別情報の個々とを対応付けると共に、前記判別手段により音声通話の不在着信あるいは未開封の電子メールが存在すると判別された場合に、当該通信識別情報毎にその存在すると判別された通信履歴情報を対応する分割画面に表示させる表示制御手段と、前記分割手段によって分割された分割画面の個々と前記通信識別情報の個々とが対応付けられている状態において、各分割画面の中から任意の分割画面を選択する選択手段と、この選択手段によって選択された分割画面に対応する前記通信識別情報を選択して通信を行う通信制御手段と、を具備したことを特徴とする。
更に、コンピュータに対して、上述した請求項１記載の発明に示した主要機能を実現させるためのプログラムを提供する（請求項７記載の発明）。
【０００７】
前記表示制御手段は、各分割画面の背景色を異ならせることで通信識別情報毎にその通信履歴情報を識別可能に表示する（請求項２記載の発明）。
【００１０】
前記表示制御手段は、前記通信識別情報に対応付けて記憶される通信履歴情報を表示させる場合に、当該通信識別情報を介して通信を行った件数を併せて表示させる（請求項４記載の発明）。
【００１１】
前記表示制御手段は、前記通信識別情報に対応付けて記憶される通信履歴情報を表示させる場合に、当該通信識別情報を介して通信を行った通信日時を併せて表示させる（請求項５記載の発明）。
【００１２】
前記表示制御手段は、前記通信識別情報に対応付けて記憶される通信履歴情報を表示させる場合に、その通信種別を表示させる（請求項６記載の発明）。
【００１３】
請求項３記載の発明は、自己の複数の通信識別情報のうち、その何れかの通信識別情報を介して個別の音声通話あるいは電子メールが可能な通信端末装置であって、前記通信識別情報を介して音声通話あるいは電子メールを行った際に、その音声通話あるいは電子メールを行ったことを示す通信履歴情報を当該通信識別情報に対応付けて記憶する情報記憶手段と、前記情報記憶手段に記憶された通信履歴情報に音声通話の不在着信あるいは未開封の電子メールが存在するか否かを判別する判別手段と、前記判別手段により音声通話の不在着信あるいは未開封の電子メールが存在すると判別された場合に、前記通信識別情報毎に割り当てられている待ち受け画面内の位置にその存在すると判別された通信履歴情報を表示させる表示制御手段と、を具備したことを特徴とする。
更に、コンピュータに対して、上述した請求項３記載の発明に示した主要機能を実現させるためのプログラムを提供する（請求項８記載の発明）。
なお、上述した請求項３記載の発明は、上述した請求項４〜６記載の発明を適用してもよい。
【発明の効果】
【００１４】
この発明によれば、自己の複数の通信識別情報のうち、その何れかの通信識別情報を介して通信を行った際に、その通信を行ったことを示す通信関連情報を表示した場合に、どの通信識別情報に対する情報であるかを容易に確認することができ、情報の誤認混同や操作の煩雑化を防ぐことが可能となる。
【発明を実施するための最良の形態】
【００１５】
（実施形態１）
以下、図１〜図６を参照して本発明の第１実施形態を説明する。
この実施形態は、通信端末装置として携帯電話装置に適用した場合を例示したもので、図１は、この携帯電話装置の基本的な構成要素を示したブロック図である。
携帯電話装置は、音声通話機能、電子メール機能（例えば、ショートメッセージ送受信機能）、インターネット接続機能（Ｗｅｂアクセス機能）、デュアル電話番号管理機能などを備え、最寄りの基地局、交換機から移動体通信網（図示省略）に接続されると、この移動体通信網を介して他の携帯電話装置との間で通話可能状態となる。また、携帯電話装置は、移動体通信網を介してメールサーバ（図示省略）に接続されると、メールサーバとの間で電子メール（例えば、ショートメッセージ）の送受信が可能となる。デュアル電話番号管理機能は、自己の複数の通信識別情報として記憶管理している各電話番号（２つの自局の加入者電話番号）での同時待ち受けを可能とするほか、その何れか一方の加入者電話番号を選択的に切り換えて電話発着信を行う機能である。
【００１６】
制御部１は、二次電池を備えた電源部２からの電力供給によって動作し、記憶部３内の各種のプログラムに応じて当該携帯電話装置の全体動作を制御するもので、この制御部１にはＣＰＵ（中央演算処理装置）、メモリなどが設けられている。記憶部３は、内部メモリで、プログラム領域とデータ領域とを有し、このプログラム領域には、後述する図４〜図６に示す動作手順に応じて本実施例を実現するためのプログラムが格納されている。また、記憶部３のデータ領域には、後述する通信管理テーブルＴＥ、音声着信履歴ファイルＣＦ、メール着信履歴ファイルＭＦなどが格納されている。
【００１７】
無線通信部４は、無線部、ベースバンド部、多重分離部などを備え、例えば、音声通話機能、電子メール機能、インターネット接続機能の動作時に最寄りの基地局との間でデータの送受信を行うもので、音声通話機能の動作時にはベースバンド部の受信側から信号を取り込んで受信ベースバンド信号に復調したのち、電話部５を介して通話用スピーカＳＰから音声出力させ、また、通話用マイクＭＣからの入力音声データを電話部５から取り込み、送信ベースバンド信号に符号化したのち、ベースバンド部の送信側に与えてアンテナから発信出力させる。操作部６は、ダイヤル入力、文字入力、コマンド入力などを行うもので、制御部１は、操作部６からの入力信号に応じた処理を実行する。表示部７は、高精細液晶あるいは有機ＥＬなどを使用したもので、待受画像、文字情報などを表示する。ＲＴＣ（リアルタイムクロックモジュール）８は、時計部を構成するもので、制御部１は、ＲＴＣ８から現在日時を取得する。
【００１８】
図２は、通信管理テーブルＴＥを説明するための図である。
通信管理テーブルＴＥは、デュアル電話番号管理機能を構成する自己の複数の加入者電話番号に対応して、この加入者電話番号の数で所定画面を分割した場合の分割画面情報と、その加入者電話番号を使用して音声通話やメール着信を行った場合の通信関連情報（着信情報）を記憶するもので、「電話番号ＩＤ」、「電話番号」、「優先発信フラグ」のほか、「分割画面」、「色」、「音声着信」、「音声着信履歴ＩＤ」、「未読メール着信」、「メール着信履歴ＩＤ」の各項目を有している。
【００１９】
「電話番号ＩＤ」は、自局の複数（２つ）の加入者電話番号を特定するためのＩＤを記憶する項目であり、「電話番号」は、この加入者電話番号を記憶する項目である。「優先発信フラグ」は、２つの加入者電話番号の中から現在優先的に使用される発信電話番号を指定するフラグを記憶する項目であり、その値が“１”のときには優先発信電話番号であることを示している。なお、図示の例では、“電話番号ＩＤ＝１”の「電話番号」が優先発信電話番号であることを示している。
【００２０】
「分割画面」は、自己の加入者電話番号の数で待受画面を分割した場合において、その各分割画面を指定する情報を記憶する項目である。図３は、加入者電話番号の数に応じて待受画面を上下方向に２分割した状態において、加入者電話番号別にその通信関連情報を対応する分割画面内に表示させた場合の表示例を示したもので、各分割画面のうちその上側の分割画面Ａを“電話番号ＩＤ＝１”の「電話番号」に対応付け、また、その下側の分割画面Ｂを“電話番号ＩＤ＝２”の「電話番号」に対応付けたものである。これによって各分割画面の個々と「電話番号」の個々とは１対１に対応付けられるようになる。「色」は、対応する分割画面の背景色を記憶する項目であり、図示の例では上側の分割画面Ａの背景色を緑色、下側の分割画面Ｂをオレンジ色とした場合を示している。
【００２１】
「音声着信」、「未読メール着信」は、対応する「電話番号」を介して通信を行った際に、その通信を行ったことを示す通信関連情報（この例では、着信情報）を記憶する項目である。そして、この「音声着信」は、音声通話の着信日時を記憶し、「未読メール着信」は、閲覧前の未読の電子メール（例えば、ショートメッセージ）における着信日時を記憶する項目である。「音声着信履歴ＩＤ」は、音声着信履歴ファイルＣＦのリンク先を記憶し、また、「メール着信履歴ＩＤ」は、メール着信履歴ファイルＭＦのリンク先を記憶する項目である。なお、音声着信履歴ファイルＣＦは、この音声着信履歴ＩＤのほか、その着信日時及び相手の電話番号を記憶するファイルである。また、メール着信履歴ファイルＭＦは、メール着信履歴ＩＤのほか、その着信日時及び相手の電話番号を記憶するファイルである。
【００２２】
この「音声着信」、「未読メール着信」の内容は、図３に示すように待受画面の各分割画面内に表示される。すなわち、図示の例では待受画面の上側の分割画面Ａには、“電話番号ＩＤ＝１”に対応する「音声着信」、「未読メール着信」の内容が表示され、また、待受画面の下側の分割画面Ｂには、“電話番号ＩＤ＝２”に対応する「音声着信」、「未読メール着信」の内容が表示される。一方、各分割画面の中から任意の分割画面がユーザ操作によって選択されると、この選択された分割画面に応じて「優先発信フラグ」が更新されて発信電話番号の切り換えが行われる。すなわち、選択された分割画面に対応する「優先発信フラグ」の値が“１”となり、その他の分割画面に対応する「優先発信フラグ」の値が“０”となって、発信電話番号の切り換えが行われる。
【００２３】
次に、この第１実施形態における携帯電話装置の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００２４】
図４及び図５は、電源投入に伴って実行開始される携帯電話装置の全体動作うち、この第１実施形態の特徴部分を詳述するためのフローチャートである。
先ず、制御部１は、電源投入に伴って待受画面表示処理の実行に移る（ステップＡ１）。図６は、この待受画面表示処理（図４のステップＡ１）を詳述するためのフローチャートである。
【００２５】
先ず、制御部１は、自局の加入者電話番号の数で待受画面を分割する（ステップＢ１）。この場合、待受画面を上下方向に２等分する。そして、この加入者電話番号を順次指定するためのポインタｎ、つまり、通信管理テーブルＴＥ内の「電話番号」を順次指定するポインタｎにその初期値として“１”をセットしておく（ステップＢ２）。このポインタｎの値に基づいて通信管理テーブルＴＥの「電話番号ＩＤ」をアクセスし、「電話番号ＩＤ」の値がポインタｎの値となる「電話番号」、つまり、“電話番号ＩＤ＝ポインタｎ”の「電話番号」を指定して、この「電話番号」に対応付けられている通信関連情報（着信情報）として「音声着信」、「未読メール着信」を取得する（ステップＢ３）。いま、ポインタｎの値は“１”であるから“電話番号ＩＤ＝１”に対応する「電話番号」の通信関連情報（着信情報）として、「未読メール着信」から“１２月０５日１０時３６分”が読み出される。
【００２６】
そして、制御部１は、“電話番号ＩＤ＝ポインタｎ”の「電話番号」に対応付けられている「分割画面」を表示対象画面として取得すると共に（ステップＢ４）、この「分割画面」に対応する「色」を取得したのち（ステップＢ５）、この「色」で当該分割画面の背景を着色するほか、取得した通信関連情報（着信情報）を当該分割画面内に表示させる（ステップＢ６）。この場合、分割画面Ａが表示対象となり、その背景全体が緑色に着色されている状態において、図３（１）に示すように、通信関連情報（着信情報）として「未読メール着信」から読み出した“１２月０５日１０時３６分”が当該分割画面Ａ内に表示される。なお、分割画面内に表示される着信情報は、その通信種別と着信日時とを有し、図３に示す“音着”、“メ着”は、この通信種別である。この場合、“音着”は音声通話による着信を示し、“メ着”は電子メールによる着信を示している。
【００２７】
この通信種別に続く“：”に付けた数値は、着信件数であり、制御部１は、通信種別毎に着信件数を計数して通信種別と共に表示させる。また、“通信種別：着信件数”に続く数値は、着信日時を示している。この場合、各分割画面内においては音声通話による着信情報と電子メールによる着信情報とを区分して表示するようにしている。次に、制御部１は、ポインタｎに“１”を加算してその値を更新したのち（ステップＢ７）、このポインタｎの値はその最大値を超えたかを調べる（ステップＢ８）。いま、ポインタｎの値は“２”に更新された場合で、その最大値“２”以下であるため、上述のステップＢ３に戻り、以下、上述の動作を繰り返す（ステップＢ３〜Ｂ８）。
【００２８】
いま、ポインタｎの値が“２”に更新された場合であるから、“電話番号ＩＤ＝２”に対応する「電話番号」の着信情報として、「音声着信」から“１２月０５日０８時４３分”が読み出され、また、「未読メール着信」から“１２月０４日２３時５６分”及び“１２月０５日０１時２８分”が読み出される。この場合、分割画面Ｂが表示対象の画面となり、その背景全体がオレンジ色に着色されている状態において、図３（２）に示すように、着信情報として「音声着信」から読み出した“１２月０５日０８時４３分”と、「未読メール着信」から読み出した“１２月０４日２３時５６分”及び“１２月０５日０１時２８分”とが当該分割画面Ｂ内にリスト表示される。
【００２９】
そして、ポインタｎの値がその最大値を超えると（ステップＢ８でＹＥＳ）、通信管理テーブルＴＥ内の「優先発信フラグ」に基づいて優先発信電話番号を特定し、その電話番号に対応付けられている分割画面の全体をハイライト表示、つまり、分割画面の外枠部分を太線表示させる（ステップＢ９）。図３（１）は、優先発信電話番号として、電話番号ＩＤ＝１に対応する「電話番号」が選択された場合であり、分割画面Ａがハイライト表示される。図３（２）は、優先発信電話番号として、電話番号ＩＤ＝２に対応する「電話番号」が選択された場合であり、分割画面Ｂがハイライト表示される。これによって待受画面表示処理が終了し、図６のフローから抜ける。
【００３０】
このようにして待受画面表示処理（図４のステップＡ１）が行われると、待受画面の分割画面Ａには、“電話番号ＩＤ＝１”に対応する「音声着信」、「未読メール着信」の内容が表示され、下側の分割画面Ｂには、“電話番号ＩＤ＝２”に対応する「音声着信」、「未読メール着信」の内容が表示される。そして、ステップＡ２に移り、待受画面にその他の情報（電池残量、受信感度、時刻など）を表示させて待受状態となる。この待受状態では、音声通話の着信有無を調べたり（ステップＡ３）、電子メールの着信有無を調べたり（ステップＡ１０）、各種の操作有無を調べたりする（ステップＡ１３、図５のステップＡ２２、Ａ２４、Ａ３４）。
【００３１】
いま、電話番号ＩＤ＝１に対応する「電話番号」、あるいは電話番号ＩＤ＝２に対応する「電話番号」で着信待ちしている待受状態において、その何れかの電話番号を宛先とする音声通話の着信有りを検出すると（ステップＡ３でＹＥＳ）、その着信の宛先である電話番号に基づいて通信管理テーブルＴＥを検索することによって、対応する「電話番号ＩＤ」を取得する（ステップＡ４）。そして、着信応答操作（オフフック操作）の有無を調べる（ステップＡ５）。
【００３２】
ここで、オフフック操作が行われず、相手から回線切断されたときには（ステップＡ５でＮＯ）、当該「電話番号ＩＤ」に対応する「音声着信」に、現在日時を不在着信日時として記録したのち（ステップＡ９）、上述の待受画面表示処理に戻る（ステップＡ１）。これによって待受画面には今回の不在着信記録の情報をも含められる。また、オフフック操作が行われたときには（ステップＡ５でＹＥＳ）、通話可能状態とする通話処理を実行する（ステップＡ６）。そして、オンフック操作に応答して（ステップＡで７ＹＥＳ）、回線を切断したのち（ステップＡ８）、待受状態に戻る（ステップＡ２）。
【００３３】
待受状態において電子メール（ショートメッセージ）の着信を検出すると（ステップＡ１０でＹＥＳ）、その着信メールの宛先である電話番号に基づいて通信管理テーブルＴＥを検索して、対応する「電話番号ＩＤ」を取得したのち（ステップＡ１１）、この「電話番号ＩＤ」に対応する「未読メール着信」に、現在日時をメール着信日時として記録したのち（ステップＡ１２）、上述の待受画面表示処理に戻る（ステップＡ１）。これによって待受画面には今回のメール着信記録の情報をも含められる。
【００３４】
また、待受画面の分割画面Ａに“電話番号ＩＤ＝１”に対応する着信情報が表示され、分割画面Ｂに“電話番号ＩＤ＝２” に対応する着信情報が表示されている状態において、不在着信の相手先に対して発信を行うための音声通話発信操作が行われると（ステップＡ１３でＹＥＳ）、その相手先への発信処理に移る（ステップＡ１４〜Ａ２１）。この場合、図３に示すように、例えば、分割画面Ｂに表示されている「音声着信」としての“着信１：１２／０５  ０８：４３”を選択してその相手に対する発信操作を行う。
【００３５】
その際、図３（２）に示すように分割画面Ｂがハイライト表示されている状態、つまり、“電話番号ＩＤ＝２”の「電話番号」が優先発信電話番号として選択されている状態においては、そのまま、分割画面Ｂ内の“着信１：１２／０５  ０８：４３”を選択する操作を行うが、図３（１）に示すように分割画面Ａがハイライト表示されている状態、つまり、“電話番号ＩＤ＝１”の「電話番号」が優先発信電話番号として選択されている状態においては、“電話番号ＩＤ＝２”の「電話番号」を優先発信電話番号として選択するために、先ず、そのハイライト表示を分割画面Ａから分割画面Ｂに切り換えておく（図３（２）参照）。
【００３６】
ここで、分割画面Ａから分割画面Ｂに切り換えるために分割画面選択操作を行うと（図５のステップＡ２２でＹＥＳ）、今回新たに選択した分割画面に対応する「電話番号」を優先発信電話番号とするために当該分割画面に対応する「優先発信フラグ」を“０”から“１”に更新し、他の分割画面に対応する「優先発信フラグ」を“１”から“０”に更新する（ステップＡ２３）。これによって優先発信電話番号は、例えば、分割画面Ａに対応する「電話番号」から分割画面Ｂに対応する「電話番号」に切り換えられる。
【００３７】
そして、不在着信記録である「音声着信」が表示されている分割画面がハイライト表示されている状態、例えば、図３（２）に示すように、分割画面Ｂがハイライト表示されて“電話番号ＩＤ＝２”の「電話番号」が優先発信電話番号として選択されている状態において、この分割画面Ｂに表示されている不在着信記録としての“着信１：１２／０５  ０８：４３”を選択する操作が行われると、この不在着信記録に対応付けられている「音声着信履歴ＩＤ」を取得する（ステップＡ１４）。
【００３８】
そして、この「音声着信履歴ＩＤ」に基づいて音声着信履歴ファイルＣＦをアクセスして、その着信履歴から「相手電話番号」を取得したのち（ステップＡ１５）、優先発信電話番号を発信元として当該相手電話番号宛に発信を行う（ステップＡ１６）。その後、相手からの応答を受けると（ステップＡ１７でＹＥＳ）、不在着信記録である“着信１：１２／０５  ０８：４３”を消去することによって当該「音声着信」の内容を更新したのち（ステップＡ１８）、通話可能状態とする通話処理を行う（ステップＡ１９）。ここで、オンフック操作が行われると（ステップＡ２０でＹＥＳ）、回線切断処理を行ったのち（ステップＡ２１）、上述した待受画面表示処理に戻る（図４のステップＡ１）。
【００３９】
一方、メールキー操作が行われたときには（図５のステップＡ２４でＹＥＳ）、通信管理テーブルＴＥをアクセスして「優先発信フラグ」が“１”に対応する「電話番号ＩＤ」を優先発信電話番号のＩＤとして取得したのち（ステップＡ２５）、メールメニューを起動させて（ステップＡ２６）、メール着信履歴ファイルＭＦの内容をリスト表示させる（ステップＡ２７）。このリスト画面内から未読メールを任意に選択してその閲覧を指示する操作を行うと（ステップＡ２８でＹＥＳ）、移動体通信網を介して接続されたメールサーバから当該選択メールの内容を受信して（ステップＡ２９）、そのメール内容を詳細表示させる（ステップＡ３０）。その後、上述の「電話番号ＩＤ」に基づいて通信管理テーブルＴＥをアクセスし、「未読メール着信」の内容を消去することによって当該「未読メール着信」を更新したのち（ステップＡ３１）、上述した待受画面表示処理に戻る（図４のステップＡ１）。
【００４０】
なお、未読メールの閲覧操作以外の操作（その他のメール操作）が行われたときには（ステップＡ３２でＹＥＳ）、その他のメール操作に応じた処理として、例えば、メール保存処理、削除処理などを実行したのち（ステップＡ３３）、上述のステップＡ２６に戻る。また、その他のメール操作が行われなければ（ステップＡ３２でＮＯ）、図４のステップＡ２に戻る。また、メールキー操作以外のその他の操作が行われたときには（ステップＡ３４でＹＥＳ）、その操作に対応する処理を実行したのち（ステップＡ３５）、図４のステップＡ２に戻る。
【００４１】
以上のように、この第１実施形態において制御部１は、通信管理テーブルＴＥに自己の複数の通信識別情報に対応して、この通信識別情報の数で所定画面（待受画面）を分割した場合の分割画面情報と、この通信識別情報を使用して音声通話やメール着信を行った場合の通信関連情報が記憶されている状態において、分割画面の個々と通信識別情報の個々とを対応付けると共に、当該通信識別情報毎にその通信関連情報を対応する分割画面に表示させるようにしたので、自己の何れかの通信識別情報を介して通信を行った際に、その通信関連情報を同一の表示画面上に表示したとしても、どの通信識別情報に対する情報であるかを容易に確認することができ、情報の誤認混同や操作の煩雑化を防ぐことが可能となる。この場合、通信関連情報は待受画面に表示されるので、情報の確認が容易となる。
【００４２】
各分割画面の中から任意の分割画面が選択された際に、この分割画面に対応する通信識別情報を選択して通信を行うようにしたから、分割画面を選択するだけで通信識別情報を切り換えることができ、その切り替えを容易に行うことが可能となる。
【００４３】
各分割画面の背景色を異ならせることで通信識別情報毎にその通信関連情報を識別可能に表示するようにしたから、同一画面上に通信関連情報が混在表示されていたとしても、ユーザにあってはどの通信識別情報に関連する情報なのかを容易に確認することができる。
【００４４】
通信識別情報に対応付けて記憶される通信関連情報は、音声通話による着信情報であるので、ユーザにあっては音声通話による着信を受けた場合に、どの通信識別情報を宛先としたものかを容易に確認することができる。
【００４５】
通信識別情報に対応付けて記憶される通信関連情報は、電子メールによる着信情報であるので、ユーザにあっては電子メールによる着信を受けた場合に、どの通信識別情報を宛先としたものかを容易に確認することができる。
【００４６】
通信識別情報に対応付けて記憶される通信関連情報を表示させる場合に、当該通信識別情報を介して通信を行った件数（着信件数）を併せて表示させるので、着信有無に限らず、その着信件数も知ることができる。
【００４７】
通信識別情報に対応付けて記憶される通信関連情報（着信情報）を表示させる場合に、その通信日時（着信日時）を併せて表示させるようにしたので、着信有無に限らず、その着信日時も知ることができる。
【００４８】
通信識別情報に対応付けて記憶される通信関連情報（着信情報）を表示させる場合に、その通信種別を表示させるので、着信有無に限らず、音声通話による着信か電子メールによる着信かを知ることができる。この場合、各分割画面内において音声通話による着信情報と電子メールによる着信情報とを区分して表示するようにしたので、それらを容易に識別可能となる。
【００４９】
なお、上述した第１実施形態においては、各分割画面をその背景色によって識別するようにしたが、例えば、分割画面内の記号表示、マーク表示などによって分割画面を識別するようにしてもよい。同様に、また、現在の優先発信電話番号に対応付けられている分割画面の外枠部分をハイライト表示（太線表示）するようにしたが、例えば、分割画面内の記号表示、マーク表示などによって優先発信電話番号を明示するようにしてもよい。
【００５０】
（実施形態２）
以下、この発明の第２実施形態について図７〜図１０を参照して説明する。
なお、上述した第１実施形態においては、自己の加入者電話番号の数で待受画面を分割した状態において、この分割画面の個々と加入者電話番号の個々とを対応付けて当該加入者電話番号毎にその着信情報を対応する分割画面に表示させるようにしたが、この第２実施形態においては、加入者電話番号毎に割り当てられている待受画面の位置に、その着信情報を表示させるようにしたものである。
ここで、両実施形態において基本的あるいは名称的に同一のものは、同一符号を付して示し、その説明を省略すると共に、以下、第２実施形態の特徴部分を中心に説明するものとする。
【００５１】
図７は、第２実施形態における通信管理テーブルＴＥを説明するための図である。
通信管理テーブルＴＥは、「電話番号ＩＤ」、「電話番号」、「優先発信フラグ」のほか、「位置」、「音声着信」、「音声着信履歴ＩＤ」、「未読メール着信」、「メール着信履歴ＩＤ」の各項目を有している。「位置」は、待受画面のうち加入者電話番号毎に割り当てられている位置を示し、“電話番号ＩＤ＝１”に対応する「電話番号」に割り当てられている「位置」として“上”が記憶され、また、“電話番号ＩＤ＝２”に対応する「電話番号」に割り当てられている「位置」として“下” が記憶されている。この場合、自己の加入者電話番号の数（２）で待受画面を上下方向に等分（２等分）した場合に、“上”は、その上半分の位置を示し、“下”は、その下半分の位置を示している。
【００５２】
その他の項目は、上述した第１実施形態と同様であるため、その説明は省略するが、図８（１）に示すように、「音声着信」、「未読メール着信」の内容は、待受画面の対応する「位置」に表示される。すなわち、図示の例では待受画面の上側半分の位置には、 “電話番号ＩＤ＝１”に対応する「音声着信」、「未読メール着信」の内容が表示され、下側半分の位置には、“電話番号ＩＤ＝２” に対応する「音声着信」、「未読メール着信」の内容が表示される。
【００５３】
図９は、上述した図５と同様、図４に続くフローチャートであり、図１０は、上述した図６に代わるフローチャートである。すなわち、第２実施形態においては、図４及び図９は、電源投入に伴って実行開始される携帯電話装置の全体動作うち、この第２実施形態の特徴部分を詳述するためのフローチャートであり、図１０は、第２実施形態において待受画面表示処理（図４のステップＡ１）を詳述するためのフローチャートである。
先ず、電源投入に伴って待受画面表示処理（図４のステップＡ１）の実行に移るが、この第２実施形態においても基本的には第１実施形態と同様の処理を行う。
【００５４】
すなわち、自局の複数の加入者電話番号を順次指定するポインタｎにその初期値“１”をセットしたのち（ステップＣ１）、このポインタｎの値に基づいて通信管理テーブルＴＥの「電話番号ＩＤ」をアクセスし、「電話番号ＩＤ」の値がポインタｎの値となる「電話番号」、つまり、“電話番号ＩＤ＝ポインタｎ”の「電話番号」に対応付けられている通信関連情報（着信情報）として「音声着信」、「未読メール着信」を取得する（ステップＣ２）。
【００５５】
そして、“電話番号ＩＤ＝ポインタｎ”の「電話番号」に対応付けられている「位置」を取得すると共に（ステップＣ３）、取得した通信関連情報（着信情報）を待受画面内の該当「位置」に表示させる（ステップＣ４）。いま、ポインタｎの値は“１”であるから、“電話番号ＩＤ＝１”に対応する「電話番号」の着信情報として、「未読メール着信」から“１２月０５日１０時３６分”が読み出され、図８（１）に示すように待受画面内の上半分の位置に表示される。
【００５６】
そして、ポインタｎに“１”を加算してその値を更新したのち（ステップＣ５）、このポインタｎの値はその最大値を超えたかを調べるが（ステップＣ６）、いま、ポインタｎの値は“２”に更新された場合であり、その最大値“２”以下であるため、上述のステップＣ２に戻り、上述の動作を繰り返す（ステップＣ２〜Ｃ６）。これによって“電話番号ＩＤ＝２”に対応する「電話番号」の着信情報として、「音声着信」から“１２月０５日０８時４３分”と、「未読メール着信」から“１２月０４日２３時５６分”及び“１２月０５日０１時２８分”が読み出され、図８（１）に示すように待受画面内の下半分の位置に表示される。そして、ポインタｎの値がその最大値を超えると（ステップＣ６でＹＥＳ）、待受画面表示処理が終了し、図１０のフローから抜ける。
【００５７】
このようにして待受画面表示処理（図４のステップＡ１）が行われると、待受画面の上半分の位置には、“電話番号ＩＤ＝１”に対応する「音声着信」、「未読メール着信」の内容が表示され、下半分の位置には、“電話番号ＩＤ＝２”に対応する「音声着信」、「未読メール着信」の内容が表示される。そして、ステップＡ２に移り、待受画面にその他の情報（電池残量、受信感度、時刻など）を表示させて待受状態となる。
【００５８】
以下、第１実施形態と同様、音声通話着信に応じた処理（ステップＡ３〜Ａ９）、電子メール着信に応じた処理（ステップＡ１０〜Ａ１２）、不在着信の発信への音声通話発信操作に応じた処理（ステップＡ１３〜Ａ２１）が実行可能となる。また、第１実施形態と同様に、メールキー操作に応じた処理（図９のステップＡ１０１〜Ａ１１０）、その他の操作に応じた処理（ステップＡ１１１、Ａ１１２）が実行可能となるが、図５で示した分割画面選択操作に応じた処理（ステップＡ２２、Ａ２３）は、第１実施形態の特有の処理であるため、第２実施形態では行われない。
【００５９】
以上のように、この第２実施形態においては、通信管理テーブルＴＥに自己の複数の通信識別情報（例えば、自局の２つの加入者電話番号）に対応して、加入者電話番号毎に割り当てられている待受画面内の位置に、その通信関連情報（着信情報）を表示させるようにしたので、自己の何れかの通信識別情報を介して通信を行った際に、その通信関連情報を同一の表示画面上に表示したとしても、どの通信識別情報に対する情報であるかを容易に確認することができ、情報の誤認混同や操作の煩雑化を防ぐことが可能となる。この場合、通信関連情報は待受画面に表示されるので、情報の確認が容易となる。
【００６０】
その他、第２実施形態においても、上述した第１実施形態と同様の効果を有する。すなわち、ユーザにあっては音声通話による着信を受けた場合、あるいは電子メールによる着信を受けた場合に、どの通信識別情報を宛先としたものかを容易に確認することができる。また、着信有無に限らず、音声通話による着信か電子メールによる着信かを知ることができるほか、その着信件数、着信日時をも知ることができる。
【００６１】
なお、上述した第２実施形態においては、図８（１）に示すように、自己の加入者電話番号の数（２）で待受画面を上下方向に等分（２等分）した場合に、その上半分の位置に“電話番号ＩＤ＝１” に対応する着信情報を表示させ、その下半分の位置に“電話番号ＩＤ＝２” に対応する着信情報を表示させたが、図８（２）に示すように、加入者電話番号の数（２）で待受画面を左右方向に２等分した場合には、その左半分の位置に“電話番号ＩＤ＝１”に対応する着信情報を表示させ、その右半分の位置に“電話番号ＩＤ＝２”に対応する着信情報を表示させるようにしてもよい。
【００６２】
また、上述した第２実施形態においては、待受画面を上下あるいは左右の位置に限らず、例えば、“電話番号ＩＤ＝１”に対応する着信情報を待受画面の奇数行目に表示させ、“電話番号ＩＤ＝２”に対応する着信情報を待受画面の偶数行目に表示させるようにしてもよい。つまり、加入者電話番号に対応する位置にその着信情報を表示させればよい。
【００６３】
また、上述した各実施形態においては、自己の複数の通信識別情報として、加入者電話番号を示したが、電話番号に限らず、メールアドレス、ユーザアカントなどであってもよい。また、メールとしては、ショットメッセージに限らず、インターネットなどを経由してメールを送受信するようにしてもよい。
【００６４】
また、上述した各実施形態においては、音声通話による着信、あるいは電子メールによる着信の場合を例示したが、音声通話による発信、あるいは電子メールによる発信の場合でも同様に適用可能である。
その他、携帯電話装置に限らず、通信機能を備えたＰＤＡ、デジタルカメラ、音楽再生機などの携帯端末装置であってもよい。
【図面の簡単な説明】
【００６５】
【図１】通信端末装置として適用した携帯電話装置の基本的な構成要素を示したブロック図。
【図２】通信管理テーブルＴＥを説明するための図。
【図３】加入者電話番号の数に応じて待受画面を上下方向に２分割した状態において、加入者電話番号別にその通信関連情報を対応する分割画面内に表示させた場合の表示例を示した図。
【図４】電源投入に伴って実行開始される携帯電話装置の全体動作うち、この第１実施形態の特徴部分を詳述するためのフローチャート。
【図５】図４に続く動作を示したフローチャート。
【図６】待受画面表示処理（図４のステップＡ１）を詳述するためのフローチャート。
【図７】第２実施形態における通信管理テーブルＴＥを説明するための図。
【図８】加入者電話番号別にその通信関連情報を待受画面の上半分の位置とその下半分の位置に分けて表示させた場合の表示例を示した図。
【図９】第２実施形態において、上述した図５に代わるフローチャートであり、図４に続く動作を示したフローチャート。
【図１０】第２実施形態において、上述した図６に代わるフローチャートであり、待受画面表示処理（図４のステップＡ１）を詳述するためのフローチャートである。
【符号の説明】
【００６６】
１  制御部
３  記憶部
４  無線通信部
５  電話部
６  操作部
７  表示部
８  ＲＴＣ
ＴＥ  通信管理テーブル
ＣＦ  音声着信履歴ファイル
ＭＦ  メール着信履歴ファイル
【図１】
0005207279.tif 000002
【図２】
0005207279.tif 000003
【図４】
0005207279.tif 000004
【図５】
0005207279.tif 000005
【図６】
0005207279.tif 000006
【図７】
0005207279.tif 000007
【図９】
0005207279.tif 000008
【図１０】
0005207279.tif 000009
【図３】
0005207279.tif 000010
【図８】
0005207279.tif 000011